(57)【要約】      （修正有）【課題】強度を犠牲とすることなく、見開きページ間を広く開くことのできる本を提供する。【解決手段】複数枚の紙片が綴じられた本において、前記紙片が、印刷部が印刷された印刷片１２と、印刷片１２と所要の間隔をおいて平行に配された綴じ代片１４とに、前記間隔をおいたまま両側から透明樹脂シートが貼着され、これにより樹脂シートで覆われた印刷片１２と綴じ代片１４とが透明樹脂シートの連結部１８で連結された紙片に形成され、該紙片が複数枚重ねられて綴じ代片１４で綴じられ、該綴じ代片１４の部位および連結部１８の部位の外側を覆って、断面コの字状をなす脊表紙２０が綴じ代片１４に固定されている。【選択図】図３
2009269221.tif 000002
【特許請求の範囲】
【請求項１】
複数枚の紙片が綴じられた本において、
前記紙片が、
写真等の印刷部が印刷された印刷片と、該印刷片と所要の間隔をおいて平行に配された綴じ代片とに、前記間隔をおいたまま両側から透明樹脂シートが貼着され、これにより樹脂シートで覆われた前記印刷片と綴じ代片とが透明樹脂シートの連結部で連結された紙片に形成され、
該紙片が複数枚重ねられて前記綴じ代片で綴じられ、
該綴じられた綴じ代片の部位および前記透明樹脂シートの連結部の部位の外側を覆って、断面コの字状をなす脊表紙が前記綴じ代片に固定されていることを特徴とする本。
【請求項２】
前記断面コの字状をなす背表紙の両端縁部が、前記紙片の、前記連結部の折り曲げ支持縁となっていることを特徴とする請求項１記載の本。
【請求項３】
前記背表紙が、前記折り曲げ支持縁となるだけの強度を有する厚紙で形成されていることを特徴とする請求項２記載の本。
【請求項４】
前記印刷部に写真が印刷され、見開き紙片における両写真がのど部においてほぼ連続していることを特徴とする請求項１〜３いずれか１項記載の本。
【請求項５】
前記断面コの字状の背表紙の端縁部に折り曲げ部を介して表表紙、裏表紙が連設されていることを特徴とする請求項１〜４いずれか１項記載の本。
【請求項６】
前記透明樹脂シートがポリプロピレン樹脂シートであり、前記印刷片、綴じ代片に熱圧着されていることを特徴とする請求項１〜５いずれか１項記載の本。
【請求項７】
綴じ代側に所要余白を残して印刷部が印刷された印刷片を形成する工程と、
該印刷片の綴じ代側に印刷部に沿うようにして細長い開口部を形成する工程と、
該開口部を含む前記印刷片の表裏面を覆って透明樹脂シートを貼着する工程と、
該透明樹脂シートを貼着した印刷片を所要個所で切断して、印刷部が印刷された印刷片の部位と所要幅の綴じ代片とが、前記開口部で両側から貼着された透明樹脂シートの連結部で連結された紙片に形成する工程と、
前記形成された紙片を複数枚積層し、積層された綴じ代片の部位で複数の紙片を綴じる工程と、
該綴じられた綴じ代片の部位および前記透明樹脂シートの連結部の部位の外側を覆って、断面コの字状をなす脊表紙を前記綴じ代片に固定する工程とを具備することを特徴とする製本方法。
【請求項８】
前記断面コの字状をなす背表紙の両端縁部が、前記紙片の、前記連結部の折り曲げ支持縁となるように形成することを特徴とする請求項７記載の製本方法。
【請求項９】
前記背表紙を、前記折り曲げ支持縁となるだけの強度を有する厚紙で形成することを特徴とする請求項８記載の製本方法。
【請求項１０】
前記印刷部に写真を印刷し、見開き紙片における両写真がのど部においてほぼ連続するように形成することを特徴とする請求項７〜９いずれか１項記載の製本方法。
【請求項１１】
前記透明樹脂シートにポリプロピレン樹脂シートを用い、該ポリプロピレン樹脂シートを前記印刷片に熱圧着することを特徴とする請求項７〜１０いずれか１項記載の製本方法。
【発明の詳細な説明】
【技術分野】
【０００１】
本発明は、ページとページの間を広角度に開くことができ、連続写真等の印刷物をのど部においてほぼ連続させることのできる本および製本方法に関する。
【背景技術】
【０００２】
本は、通常、紙片を所要幅を有する綴じ代の部分において重ねた状態で綴じるようにしている。このため、のど部を大きく開くことが困難となり、見開きで連続写真等の連続印刷物を連続するように配置することは困難となる。
見開きを大きく、広く開くことができるようにするには、例えば、重ねた紙片群の端面を屈曲可能な背面部材に接着剤で貼り付け、外側を柔軟な背表紙で覆うようにすることが考えられる（登録実用新案公報第３１０４５２１号：図６）。
【特許文献１】登録実用新案公報第３１０４５２１号
【発明の開示】
【発明が解決しようとする課題】
【０００３】
特許文献１のものによれば、ページ間を広く開くことができるので、連続写真等を見開きページにほぼ連続して配置することができる。
しかしながら、多数積層した紙片群の端面を背面部材に接着するだけのものなので、本としての強度が低下するという課題がある。すなわち、所要幅の綴じ代を設けないだけ広く開ける代わりに、強度を犠牲とせざるを得ないという相反する課題がある。
そこで、本発明は上記課題を解決すべくなされたものであり、その目的とするところは、強度を犠牲とすることなく、見開きページ間を広く開くことのできる本および製本方法を提供するにある。
【課題を解決するための手段】
【０００４】
本発明は上記目的を達成するため次の構成を備える。
すなわち、本発明に係る本は、複数枚の紙片が綴じられた本において、前記紙片が、写真等の印刷部が印刷された印刷片と、該印刷片と所要の間隔をおいて平行に配された綴じ代片とに、前記間隔をおいたまま両側から透明樹脂シートが貼着され、これにより樹脂シートで覆われた前記印刷片と綴じ代片とが透明樹脂シートの連結部で連結された紙片に形成され、該紙片が複数枚重ねられて前記綴じ代片で綴じられ、該綴じられた綴じ代片の部位および前記透明樹脂シートの連結部の部位の外側を覆って、断面コの字状をなす脊表紙が前記綴じ代片に固定されていることを特徴とする。
【０００５】
また、前記断面コの字状をなす背表紙の両端縁部が、前記紙片の、前記連結部の折り曲げ支持縁となっていることを特徴とする。
また、前記背表紙が、前記折り曲げ支持縁となるだけの強度を有する厚紙で形成されていることを特徴とする。
また、前記印刷部に写真が印刷され、見開き紙片における両写真がのど部においてほぼ連続していることを特徴とする。
【０００６】
また、前記断面コの字状の背表紙の端縁部に折り曲げ部を介して表表紙、裏表紙が連設されていることを特徴とする。
前記透明樹脂シートがポリプロピレン樹脂シートであり、前記印刷片、綴じ代片に熱圧着されていることを特徴とする。
【０００７】
また、本発明に係る製本方法は、綴じ代側に所要余白を残して印刷部が印刷された印刷片を形成する工程と、該印刷片の綴じ代側に印刷部に沿うようにして細長い開口部を形成する工程と、該開口部を含む前記印刷片の表裏面を覆って透明樹脂シートを貼着する工程と、該透明樹脂シートを貼着した印刷片を所要個所で切断して、印刷部が印刷された印刷片の部位と所要幅の綴じ代片とが、前記開口部で両側から貼着された透明樹脂シートの連結部で連結された紙片に形成する工程と、前記形成された紙片を複数枚積層し、積層された綴じ代片の部位で複数の紙片を綴じる工程と、該綴じられた綴じ代片の部位および前記透明樹脂シートの連結部の部位の外側を覆って、断面コの字状をなす脊表紙を前記綴じ代片に固定する工程とを具備することを特徴とする。
【発明の効果】
【０００８】
本発明によれば、所要幅を有する綴じ代片の部位で紙片を固定するので、強固に綴じることができる。
また、紙片の印刷片が薄い連結片を介して綴じ代片に連結されているので、紙片は、薄い連結部の部位で屈曲して大きく外方に開く。対向する他方の紙片も大きく外方に開く。すなわち、連結部は印刷片に比較して薄く、各連結部間に隙間があり、このように空間的に余裕があることから、紙片は連結部においてそれぞれ曲率半径小さく屈曲でき、湾曲することなく大きく外方に開く。したがって、両外方に開いた紙片は、その屈曲部がほぼ突き合わされた状態となる。写真等の印刷部が、紙片の端縁部にまで印刷されているときは、見開きのページの写真等が連続するものとなり、山岳の連続写真など、見やすい連続写真となる。
【発明を実施するための最良の形態】
【０００９】
以下、本発明の好適な実施の形態を添付図面に基づいて詳細に説明する。
図１は、本に綴じ込む紙片１０の説明図、図２は、この紙片１０を閉じて本とする説明図である。
紙片１０は、写真等の印刷部１２ａが印刷された印刷片１２と、印刷片１２と所要の間隔Ａをおいて平行に配された綴じ代片１４とに、間隔Ａをおいたまま両側から透明樹脂シート１６が貼着され、これにより樹脂シート１６で覆われた印刷片１２と綴じ代片１４とが透明樹脂シート１６の連結部１８で連結された紙片に形成されている。連結部１８は、間隔Ａにおける部分で表裏の透明樹脂シート１６がそのまま貼着されている部位である。綴じ代片１４の幅は特に限定されるものではなく、綴じた際に必要な強度が確保できるものであればよい。
【００１０】
そして、上記紙片１０が複数枚重ねられて綴じ代片１４の部位で綴じられる。綴じ代片１４を綴じる手段は特に限定されない。綴じ代片１４間を接着剤で固定してもよいし、公知の固定針を用いて固定したり、接着剤と固定針とを併用するなど種々の手段を取りうる。このように所要幅を有する綴じ代片１４の部位で紙片１０を固定するので、強固に綴じることができる。
【００１１】
上記のように、複数枚綴じた紙片１０を、図２に示すように、断面コの字状をなす脊表紙２０により、綴じ代片１４の部位および透明樹脂シート１６の連結部１８の部位の外側を覆うようにして、背表紙２０を綴じ代片１４に固定することによって本２２に形成される。
なお、断面コの字状の背表紙２０の端縁部に折り曲げ部２０ａを介して表表紙２０ｂ、裏表紙２０ｃが連設され、一体的な表紙として形成されている。背表紙２０、折り曲げ部２０ａ、表表紙２０ｂ、裏表紙２０ｃは、比較的厚い厚紙で一体的に形成するとよい。
【００１２】
本実施の形態においては、表表紙２０ｂ、裏表紙２０ｃは、最表層の紙片１０で代替することもできる。この場合、断面コの字状の背表紙２０のみで綴じ代片１４および連結部１８を覆うようにすればよい。
前記透明樹脂シート１６にはポリプロピレン樹脂シートを用いるのが好適であり、印刷片１２、綴じ代片１４に熱圧着するようにするとよい。
【００１３】
断面コの字状をなす背表紙２０の両端縁部（折り曲げ部２０ａの部位）が、紙片１０の、連結部１８での折り曲げ支持縁となる。
連結部１８は、２枚の透明樹脂シート１６が貼り合わされたものであるので、薄く、屈曲しやすい。
したがって、背表紙２０の端縁部（折り曲げ部２０ａの部位）で支持されて（支点となり）、薄い連結部１８の部位で屈曲した紙片１０は大きく外方に開く。同様に他方側の紙片１０も他側に大きく開く。
【００１４】
この場合、図３に示すように、他方側の紙片１０は、複数枚が他側に同時に屈曲する場合が生じるが、連結部１８は印刷片１２に比較して薄く、各連結部１８間に隙間があり、このように空間的に余裕があることから、他方側の紙片１０は連結部１８においてそれぞれ曲率半径小さく屈曲でき、湾曲することなく全体が重なった状態で大きく外方に開く。したがって、両外方に開いた紙片１０は、その屈曲部がほぼ突き合わされた状態となり、写真等の印刷部が、紙片１０の端縁部にまで印刷されているときは、見開きのページの写真が連続するものとなり、山岳の連続写真など、見やすい連続写真となる。
上記のように、背表紙２０の両端縁部が紙片１０の折り曲げ支持縁となるので、背表紙２０はそれだけの強度を有する厚紙で形成するようにするとよい。
【００１５】
次に、製本の手順（製本方法）について説明する。
まず、図４に示すように、綴じ代側に所要余白を残して印刷部１２ａが印刷された印刷片１２を形成し、この印刷片１２の綴じ代側に印刷部１２ａに沿うようにして細長い開口部２４を形成する。
次いで図５に示すように、開口部２４を含む印刷片１２の表裏面を透明樹脂シート１６で覆い、この透明樹脂シート１６を印刷片１２の表裏面に貼着する（図６）。
透明樹脂シート１６は、ポリプロピレン樹脂シートを用い、これを熱圧着して印刷片１２の表裏面側に貼着するようにするとよい。
開口部２４においては、両透明樹脂シート１６同士が直接貼りあわされる。
【００１６】
次いで、図７に示すように、透明樹脂シート１６を貼着した印刷片１２を破線部Ｂで切断して、印刷部１２ａが印刷された印刷片１２の部位と所要幅の綴じ代片１４とが、開口部２４で貼り合された透明樹脂シートの連結部１８で連結された紙片１０（図１）に形成する。開口部２４の両側の紙片１０の部位も切断除去されるので、印刷片１２と綴じ代片１４とは、２枚の透明樹脂シート１６が貼り合された連結部１８のみで連結された状態となる。
【００１７】
次に、前記したように（図２）、形成された紙片１０を複数枚積層し、積層された綴じ代片１４の部位で複数の紙片１０を綴じ、断面コの字状をなす脊表紙２０により、綴じ代片１４の部位および透明樹脂シート１６の連結部１８の部位の外側を覆うようにして、脊表紙２０を綴じ代片１４に固定して製本を完了する。
【図面の簡単な説明】
【００１８】
【図１】紙片の説明図である。
【図２】複数枚綴じた紙片に表紙を固定する工程の説明図である。
【図３】隣接する紙片が両外方に開く状態を示した説明図である。
【図４】印刷片に開口部を形成した状態の説明図である。
【図５】図４の印刷片の表裏面を透明樹脂シートで覆った状態の説明図である。
【図６】２枚の透明樹脂シートを印刷片の表裏面に貼着した状態の説明図である。
【図７】印刷片の切断部位を示す説明図である。
【符号の説明】
【００１９】
１０  紙片
１２  印刷片
１２ａ  印刷部
１４  綴じ代片
１６  透明樹脂シート
１８  連結部
２０  背表紙
２２  本
２４  開口部
【図２】
2009269221.tif 000003
【図３】
2009269221.tif 000004
【図１】
2009269221.tif 000005
【図４】
2009269221.tif 000006
【図５】
2009269221.tif 000007
【図６】
2009269221.tif 000008
【図７】
2009269221.tif 000009